(57)【要約】      （修正有）【課題】小型の箱船を用いて海苔葉体摘採作業と酸処理（活性処理）作業とを行う支柱方式での海苔養殖で、海苔葉体摘採作業と酸処理作業とを連続的に行える作業船と、作業船を構成する海苔摘み取り作業用箱船と海苔網酸処理作業用箱船とをワンタッチで連結する海上作業用箱船連結具を提供する。【解決手段】並列している海苔摘み取り作業用箱船１と海苔網酸処理作業用箱船２の船縁同士の間を、ワンタッチで取りつけ、取り外し可能に支持腕部８ａと係止部８ｂを有する海苔養殖作業用箱船連結具で連結することで、海苔摘み取り作業用箱船と海苔網酸処理作業用箱船とを並列している状態で海上進行可能にし、海苔摘み取り作業と海苔網酸処理作業とを連続的な一連の作業として進行可能にした。【選択図】図１
0003222088.tif 000002
【実用新案登録請求の範囲】
【請求項１】
並列している海苔摘み取り作業用箱船と、海苔網酸処理作業用箱船との隣接しているそれぞれの船縁同士の間に架け渡されることで前記海苔摘み取り作業用箱船と、前記海苔網酸処理作業用箱船とを並列している状態で連結し海上進行可能にする海苔養殖作業用箱船連結具。
【請求項２】
前記海苔養殖作業用箱船連結具は、支持腕の両端にそれぞれ係止部を備えていて、前記支持腕の両端の係止部を、並列している海苔摘み取り作業用箱船と、海苔網酸処理作業用箱船との隣接しているそれぞれの船縁にワンタッチで取りつけ、取り外し可能とした請求項１記載の海上作業用箱船連結具。
【請求項３】
並列している海苔摘み取り作業用箱船と、海苔網酸処理作業用箱船とを、それぞれの隣接している船縁同士の間にワンタッチでそれぞれの前記船縁に取りつけ、取り外し可能な海苔養殖作業用箱船連結具で連結することにより、前記海苔摘み取り作業用箱船での海苔摘み取り作業と、前記海苔網酸処理作業用箱船での海苔網酸処理作業とを連続的な一連の作業として進行可能にした海苔養殖場における作業船。
【請求項４】
前記海苔養殖作業用箱船連結具が、請求項２記載の海苔養殖作業用箱船連結具である請求項３記載の海苔養殖場における海上作業船。
【考案の詳細な説明】
【技術分野】
【０００１】
この考案は海苔養殖場において海苔摘み取り作業や、海苔網の酸処理作業を行う際に使用される作業船に関する。
【背景技術】
【０００２】
海苔の養殖はそれが行われる漁場特性などに応じて、浮き流し方式あるいは、支柱方式で行われる。
【０００３】
浮き流し方式では海面に浮上させたロープ筏に海苔養殖網が設置される。一方、支柱方式では海底に突き刺すように設置した多くの支柱に海苔養殖網を結わえて設置している。
【０００４】
海苔養殖において日常的に行う主要な管理・作業として海苔葉体の摘採と、海苔養殖網を酸処理液（活性処理液）に浸漬する作業がある。海苔葉体摘採作業は、海苔養殖網上に生育した海苔葉体を摘採するものである。海苔養殖網を酸処理液（活性処理液）に浸漬する酸処理（活性処理）作業は、生育した海苔葉体を健全な状態に保つことを目的として行うものである。
【０００５】
前述した浮き流し方式での海苔養殖では、この２つの作業を同時に行うことができる。いわゆるもぐり船（システム船）と称される管理船を使用するものである。海苔が生育している養殖網の下をもぐり船（システム船）で通過しながら前述した２つの作業を同時に行うことができる。
【０００６】
これに対して、支柱方式での海苔養殖では、支柱が設置されている間隔が制限要因となって、現状の海苔養殖網の張り込み状況下では、もぐり船（システム船）の使用が困難である。
【０００７】
仮に、現状よりも小型のもぐり船（システム船）を開発したとしても、荒天下などでは漁場までの航行が不可能となるし、摘み取った海苔葉体の運搬量からも問題が多い。
【０００８】
現在、支柱方式での海苔養殖では、海苔葉体摘採作業と、酸処理（活性処理）作業とを、それぞれ、別の作業として、小型の箱船を用いて行っている。小型の箱船は、小型で平面から見て矩形の浅底の箱形状に形成されているものであり、従来から種々の提案が行われている（特許文献１、２）。
【０００９】
支柱方式での海苔養殖での海苔葉体摘採作業、酸処理（活性処理）作業では上述した小型の箱船を親船（作業船、運搬船）に乗せて漁場まで運び、そこで海上に下して作業に供している。
【００１０】
すなわち、海苔葉体摘採作業を行う際には、親船で運搬してきた前記箱船に摘み取り機械を設置して海苔葉体摘採作業を行い、酸処理（活性処理）作業を行う際には、親船で運搬してきた前記箱船に酸処理（活性処理）機械を設置して酸処理（活性処理）を行う。
【００１１】
ただし、これら２つの機能の一つずつをそれぞれ備えている別々の箱船を親船（作業船、運搬船）によって漁場（養殖場）までそれぞれ別々に運搬し、それぞれの作業で専用使用しているのが現状である。
【先行技術文献】
【特許文献】
【００１２】
【特許文献１】特開平５−２３０６６号公報
【特許文献２】特開２００７−２７４９３６号公報
【考案の概要】
【考案が解決しようとする課題】
【００１３】
支柱方式での海苔養殖で上述したように小型の箱船を用いて行う海苔葉体摘採作業、酸処理（活性処理）作業は、それぞれに３〜４時間を要する重労働である。
【００１４】
ところで、有明海などでは最高で６ｍ程度になるほど干満の差が大きいが、このように干満の差が大きいところの海苔養殖場において支柱方式での海苔養殖が行われ、上述したように小型の箱船を用いて行う海苔葉体摘採作業と酸処理（活性処理）作業とを順次行おうとすると、干潮、満潮の時間を考慮して作業を行わねばならないので、これらの作業にかけることのできる時間が制限されるようになってしまう。
【００１５】
海苔養殖場における干満の差が大きいために海苔摘取り作業、海苔網酸処理作業を行う時間に制約を受けることで、海苔摘み作業が遅れたり、海苔網酸処理作業が遅れたりすることは海苔生産において致命的になることがある。
【００１６】
このため、もぐり船（システム船）の使用が困難で、小型の箱船を用いて海苔葉体摘採作業と酸処理（活性処理）作業とを行うことになる支柱方式での海苔養殖においても、海苔葉体摘採作業と酸処理（活性処理）作業とを同時並行的に行えるようにすることが望まれている。
【００１７】
この考案は、現状では、もぐり船（システム船）の使用が困難で、小型の箱船を用いて海苔葉体摘採作業と酸処理（活性処理）作業とを別々に行っている支柱方式での海苔養殖で、海苔葉体摘採作業と酸処理（活性処理）作業とを連続的な一連の作業として行える作業船を提供することを目的にしている。また、このような作業船を構成する海苔摘み取り作業用箱船と、海苔網酸処理作業用箱船とをワンタッチで連結する海上作業用箱船連結具を提供することを目的にしている。
【課題を解決するための手段】
【００１８】
［１］
並列している海苔摘み取り作業用箱船と、海苔網酸処理作業用箱船との隣接しているそれぞれの船縁同士の間に架け渡されることで前記海苔摘み取り作業用箱船と、前記海苔網酸処理作業用箱船とを並列している状態で連結し海上進行可能にする海苔養殖作業用箱船連結具。
【００１９】
［２］
前記海苔養殖作業用箱船連結具は、支持腕の両端にそれぞれ係止部を備えていて、前記支持腕の両端の係止部を、並列している海苔摘み取り作業用箱船と、海苔網酸処理作業用箱船との隣接しているそれぞれの船縁にワンタッチで取りつけ、取り外し可能とした［１］の海上作業用箱船連結具。
【００２０】
［３］
並列している海苔摘み取り作業用箱船と、海苔網酸処理作業用箱船とを、それぞれの隣接している船縁同士の間にワンタッチでそれぞれの前記船縁に取りつけ、取り外し可能な海苔養殖作業用箱船連結具で連結することにより、前記海苔摘み取り作業用箱船での海苔摘み取り作業と、前記海苔網酸処理作業用箱船での海苔網酸処理作業とを連続的な一連の作業として進行可能にした海苔養殖場における作業船。
【００２１】
［４］
前記海苔養殖作業用箱船連結具が、［２］の海苔養殖作業用箱船連結具である［３］の海苔養殖場における海上作業船。
【考案の効果】
【００２２】
この考案によれば、現状では、もぐり船（システム船）の使用が困難で、小型の箱船を用いて海苔葉体摘採作業と酸処理（活性処理）作業とを別々に行っている支柱方式での海苔養殖で、海苔葉体摘採作業と酸処理（活性処理）作業とを連続的な一連の作業として行える作業船を提供することができる。
【００２３】
また、このような作業船を構成する海苔摘み取り作業用箱船と、海苔網酸処理作業用箱船とをワンタッチで連結する海苔養殖作業用箱船連結具を提供することができる。
【００２４】
これによって、海苔摘み取り作業用箱船と海苔網酸処理作業用箱船とを親船（作業船、運搬船）に乗せて、同時に、漁場（養殖場）まで運び、海苔養殖作業用箱船連結具を用いて、海苔摘み取り作業用箱船と海苔網酸処理作業用箱船とをワンタッチで連結して作業船とし、もぐり船（システム船）の使用が困難で、小型の箱船を用いて海苔葉体摘採作業と酸処理（活性処理）作業とを行うことになる支柱方式での海苔養殖においても、海苔葉体摘採作業と酸処理（活性処理）作業とを連続的な一連の作業として行うことができる。
【００２５】
また、作業終了後は、海苔摘み取り作業用箱船と海苔網酸処理作業用箱船だけでなく、摘み取った海苔葉体も、親船（作業船、運搬船）に乗せて同時に運んで戻ることができる。
【図面の簡単な説明】
【００２６】
【図１】この考案の海苔養殖場における作業船の一例を説明する概略斜視図。
【図２】この考案の海苔養殖場における作業船の他の例を説明する概略斜視図。
【図３】（ａ）図１、図２図示の海苔養殖場における作業船を構成する海苔網酸処理作業用箱船に搭載されている活性処理液の循環ポンプを説明する概略図、（ｂ）図２図示の海苔養殖場における作業船を構成する海苔網酸処理作業用箱船で使用される酸処理（活性処理）の概略構成を説明する斜視図。
【図４】この考案の海苔養殖作業用箱船連結具の一例を説明する図であって、（ａ）は平面図、（ｂ）は側面図。
【考案を実施するための形態】
【００２７】
この実施形態の海苔養殖場における作業船は、図１図示のように、並列している海苔摘み取り作業用箱船１と、海苔網酸処理作業用箱船２とからで構成される。
【００２８】
この実施形態の海苔養殖場における作業船を構成する海苔摘み取り作業用箱船１と、海苔網酸処理作業用箱船２とを、親船（作業船、運搬船）に乗せて、同時に、漁場（養殖場）まで運搬する。この漁場（養殖場）は、例えば、もぐり船（システム船）の使用が困難で、小型の箱船を用いて海苔葉体摘採作業と酸処理（活性処理）作業とを行うことになる支柱方式での海苔養殖が行われている漁場（養殖場）である。
【００２９】
漁場（養殖場）に到着したならば、海苔摘み取り作業用箱船１と、海苔網酸処理作業用箱船２とを、親船（作業船、運搬船）から下し、図１図示のように並列させ、海苔養殖作業用箱船連結具８（図４）を用いて、並列している海苔摘み取り作業用箱船１と、海苔網酸処理作業用箱船２とを連結して、この実施形態の作業船とする。
【００３０】
海苔養殖作業用箱船連結具８は、この実施形態では、図４に例示したように、板状の支持腕部８ａの両端にそれぞれ係止部８ｂ、８ｃを備えている。
【００３１】
この実施形態では、図１図示のように、並列している海苔摘み取り作業用箱船１と、海苔網酸処理作業用箱船２とを、それぞれの隣接している船縁４、１３同士の間にワンタッチでそれぞれの取りつけ、取り外し可能な海苔養殖作業用箱船連結具８で連結する。これによって、海苔摘み取り作業用箱船１での海苔摘み取り作業と、海苔網酸処理作業用箱船２での海苔網酸処理作業とを、連続的な一連の作業として進行可能にしたものである。
【００３２】
図示の実施形態では２個の海苔養殖作業用箱船連結具８を用い、並列している海苔摘み取り作業用箱船１、海苔網酸処理作業用箱船２それぞれの長手方向に伸びる船縁４、１３の間に、長手方向に所定の間隔を空けて、海苔養殖作業用箱船連結具８を架け渡して、海苔摘み取り作業用箱船１と海苔網酸処理作業用箱船２とを連結している。
【００３３】
図１図示の実施形態では、海苔網酸処理作業用箱船２に隣接している海苔摘み取り作業用箱船１の長手方向に伸びる船縁４に船外機取付け部４ａが設けられている。ここに船外機を取りつけ、海苔養殖作業用箱船連結具８によって図１図示のように、並列して連結されている海苔摘み取り作業用箱船１と海苔網酸処理作業用箱船２とを、漁場（養殖場）において同時に進行させ、海苔摘み取り作業と海苔網酸処理作業とを連続的な一連の作業として行うことができる。
【００３４】
図１では海苔網酸処理作業用箱船２に隣接している海苔摘み取り作業用箱船１の長手方向に伸びる船縁４に船外機取付け部４ａが設けられているが、海苔摘み取り作業用箱船１に船外機取付け部４ａを設けず、海苔網酸処理作業用箱船２に船外機取付け部を設けることもできる。
【００３５】
この場合には、海苔網酸処理作業用箱船２の海苔摘み取り作業用箱船１から離れている側において長手方向に伸びる船縁１４に船外機取付け部を設けるようになる。長手方向に伸びる船縁１４の長手方向における中間部に船外機取付け部を設けるものである。
【００３６】
図示を省略しているが、海苔網酸処理作業用箱船２に船外機取付け部を設け、そこへ船外機を取りつけ、海苔養殖作業用箱船連結具８によって、並列させて連結した海苔摘み取り作業用箱船１と海苔網酸処理作業用箱船２とを、漁場（養殖場）において同時に進行させ、海苔摘み取り作業と海苔網酸処理作業とを連続的な一連の作業として行うこともできる。
【００３７】
並列している海苔摘み取り作業用箱船１と、海苔網酸処理作業用箱船２との隣接しているそれぞれの船縁同士の間に海苔養殖作業用箱船連結具８、８を架け渡し、海苔摘み取り作業用箱船１と、海苔網酸処理作業用箱船２とを並列している状態で連結して海上進行可能にする実施形態として、図１、図２では、平面視で矩形の海苔摘み取り作業用箱船１、海苔網酸処理作業用箱船２の長手方向に伸びる船縁４、１３が近接して並列している状態で説明している。
【００３８】
これに替えて、長手方向に伸びる船縁４、１３に直交する横手方向に伸びる海苔摘み取り作業用箱船１の船縁と、海苔網酸処理作業用箱船２の船縁とを隣接させて並列させ、これらの船縁同士の間に海苔養殖作業用箱船連結具８、８を架け渡し、海苔摘み取り作業用箱船１と、海苔網酸処理作業用箱船２とを並列している状態で連結して海上進行可能にすることもできる。
【００３９】
また、図１、図２図示の実施形態においては、海苔養殖作業用箱船連結具８の支持腕部８ａが長手方向に所定の長さを有していて、並列している海苔摘み取り作業用箱船１と、海苔網酸処理作業用箱船２との隣接しているそれぞれの船縁４、１３の間に所定の間隔があいているが、支持腕部８ａの長手方向の長さを図示されているものより短くすることも可能である。
【００４０】
この場合の一例として、支持腕部８ａの長手方向の長さを、海苔摘み取り作業用箱船１の船縁４を形成する船壁の外側面と、海苔網酸処理作業用箱船２の船縁１３を形成する船壁の外側面との間にほとんど隙間がなく、両者が密着する状態で海苔摘み取り作業用箱船１と海苔網酸処理作業用箱船２とを連結できる長さ、サイズにすることができる。
【００４１】
図１、図２図示のように、並列している海苔摘み取り作業用箱船１と海苔網酸処理作業用箱船２が、両者の間にある程度の大きさの間隔をあけて海苔養殖作業用箱船連結具８によって連結されている場合、荒天下では、海苔摘み取り作業用箱船１、海苔網酸処理作業用箱船２のそれぞれが大きくうねるようになるおそれがある。
【００４２】
このようなときに、支持腕部８ａの長手方向の長さが、海苔摘み取り作業用箱船１の船縁４を形成する船壁の外側面と、海苔網酸処理作業用箱船２の船縁１３を形成する船壁の外側面との間にほとんど隙間がなく、両者が密着する状態で海苔摘み取り作業用箱船１と海苔網酸処理作業用箱船２とを連結できる長さ、サイズにしておくと有利である。
【００４３】
この場合、支持腕部８ａの長手方向の長さを固定的なものにせず、海苔養殖場において、海苔摘み取り作業用箱船１の船縁４と海苔網酸処理作業用箱船２の船縁１３との間に海苔養殖作業用箱船連結具８を架け渡して両者を連結する作業の際に、支持腕部８ａの長手方向の長さを調節できる構造にしておくことで、連結作業を行いつつ、同時に、海苔摘み取り作業用箱船１と海苔網酸処理作業用箱船２とを密着あるいは、密接させて海苔養殖作業用箱船連結具８で連結するようにできる。
【００４４】
なお、支持腕部８ａの長手方向の長さを調節可能な海苔養殖作業用箱船連結具８や、支持腕部８ａの長手方向の長さが所定の短い長さになっている海苔養殖作業用箱船連結具８を用いて、上述したように、並列している海苔摘み取り作業用箱船１と海苔網酸処理作業用箱船２とを密着あるいは、密接させて連結する場合、海苔摘み取り作業用箱船１の船外機取付け部４ａは、船縁４を形成する船壁から海苔摘み取り作業用箱船１の内側に向けて窪んでいる（すなわち、船縁４を形成する船壁から海苔摘み取り作業用箱船１の内側に向けて凹部になっている）構造にする。海苔摘み取り作業用箱船１の内側に向かう窪み部や、凹部からなる船外機取付け部に船外機を取り付けるようにすれば、上述したように、海苔摘み取り作業用箱船１と海苔網酸処理作業用箱船２とを密着、密接させて海苔養殖作業用箱船連結具８によって連結することができる。
【００４５】
上述したように、並列している海苔摘み取り作業用箱船１と、海苔網酸処理作業用箱船２とを、それぞれの隣接している船縁４、１３同士の間にワンタッチでそれぞれの船縁４、１３に取りつけ、取り外し可能な海苔養殖作業用箱船連結具８で連結することにより、海苔摘み取り作業用箱船１での海苔摘み取り作業と、海苔網酸処理作業用箱船２での海苔網酸処理作業とを連続的な一連の作業として進行可能にする海苔養殖場における作業船という意味、概念は、海苔摘み取り作業用箱船１の船縁４を形成する船壁の外側面と、海苔網酸処理作業用箱船２の船縁１３を形成する船壁の外側面との間にほとんど隙間がなく、両者が密着する状態で海苔摘み取り作業用箱船１と海苔網酸処理作業用箱船２とを海苔養殖作業用箱船連結具８によって連結する実施形態をも包含するものである。
【００４６】
海苔摘み取り作業用箱船１と海苔網酸処理作業用箱船２とを海苔養殖作業用箱船連結具８によって並列させて連結したこの実施形態の作業船による海苔摘み取り作業と海苔網酸処理作業との連続的な一連の作業としての進行の一例を以下に説明する。
【００４７】
図１図示のように、摘み取り機用エンジン１０ａが付設されている海苔摘み取り機１０が搭載されている海苔摘み取り作業用箱船１に海苔３１が生育している海苔養殖網１５を引き上げて海苔葉体摘採作業を行う。
【００４８】
海苔葉体摘採作業が行われた海苔養殖網１５は、海苔養殖作業用箱船連結具８によって並列連結されている海苔網酸処理作業用箱船２に運ばれて酸処理（活性処理）を受ける。
【００４９】
海苔養殖網１５は、海苔網酸処理作業用箱船２に設置されている海苔網案内ロッド９上を矢印３０で示す方向に向かって移動しながら酸処理（活性処理）を受ける。
【００５０】
図１図示の実施形態では、海苔網酸処理作業用箱船２内の水槽１７に酸処理（活性処理）水が収容されており、ＰＨセンサー１８、ＰＨを測定する自動ＰＨ装置７で水槽１７内のＰＨを監視しつつ、これらでの測定結果に基づいて、必要があれば、酸処理（活性処理）液タンク６から酸処理（活性処理）液を水槽１７内に供給して水槽１７内のＰＨを所望の状態にする。
【００５１】
こうしてＰＨ調整されている酸処理（活性処理）水は、循環ポンプ５によってシャワーノズル３に供給される。シャワーノズル３から酸処理（活性処理）水が、海苔網案内ロッド９上を移動していく海苔網１５に向かって下側から上側に吹き付けられて酸処理（活性処理）が行われる。
【００５２】
循環ポンプ５は、海苔クズの侵入防止用のステンレス製網カゴ５ｃで囲まれているポンプ５ｂから構成されており、ポンプ５ｂで吸引された酸処理（活性処理）水がホース５ａを介してシャワーノズル３へ供給される。
【００５３】
図１では、シャワーノズル３は海苔養殖網１５の進行方向に交差するように２本配備されているが、２〜４の配備形態にすることができる。
【００５４】
シャワーノズル３から上方の海苔網１５に向かって吹き付けられた酸処理（活性処理）水は水槽１７内に戻り、再び、循環ポンプ５によってシャワーノズル３に供給される。
【００５５】
このようにして酸処理（活性処理）を受けた海苔網１５ａは、海中に持ち込まれる酸処理（活性処理）液の量を抑えるべく水切りパイプ１６で水切りされ、矢印３０で示すように海中（海苔養殖場）に戻されていく。
【００５６】
図２は、酸処理（活性処理）部の構成、機構が図１図示の実施形態と異なっている海苔養殖場における作業船の一例を表すものである。
【００５７】
図２図示の実施形態では、屋根構造の処理液収容部２１を海苔網案内ロッド９の上に取りつけ、循環ポンプ５から供給された酸処理（活性処理）水２２を処理液収容部２１内に収容している。
【００５８】
酸処理（活性処理）を受ける海苔養殖網１５は、水きりローラー１９で水切りされた後、引き続いて、処理液収容部２１内に収容されている酸処理（活性処理）水２２内を矢印３０で示す方向に通過しながら酸処理（活性処理）を受ける。
【００５９】
その他の構成、機序は図１で説明したものと同様であるので、図１図示の実施形態と共通する部分には共通する符号をつけてその説明を省略する。
【００６０】
以上に説明したように海苔摘み取り作業、海苔網酸処理作業が終了したならば、海苔養殖作業用箱船連結具８をワンタッチで取り外して海苔摘み取り作業用箱船１と海苔網酸処理作業用箱船２との連結を解除し、作業開始前に運搬してきたように、海苔摘み取り作業用箱船１と海苔網酸処理作業用箱船２とを親船（作業船、運搬船）に乗せ、更に、摘み取った海苔葉体も、親船（作業船、運搬船）に乗せて、同時に、運んで戻ることができる。
【００６１】
このように、この実施形態の作業船によれば、現状では、もぐり船（システム船）の使用が困難で、小型の箱船を用いて海苔葉体摘採作業と酸処理（活性処理）作業とを行うことになる支柱方式での海苔養殖で、海苔葉体摘採作業と酸処理（活性処理）作業とを連続的な一連の作業として行うことができる。
【００６２】
また、海苔葉体摘採作業と酸処理（活性処理）作業とを連続的な一連の作業として行うこの実施形態の作業船を構成する海苔摘み取り作業用箱船１と、海苔網酸処理作業用箱船２とを海苔養殖作業用箱船連結具８によってワンタッチで連結し、また、ワンタッチで連結解除することができる。
【００６３】
そこで、海苔摘み取り作業用箱船１と海苔網酸処理作業用箱船２とを親船（作業船、運搬船）に乗せて、同時に、漁場（養殖場）まで運び、海苔養殖作業用箱船連結具８を用いて、海苔摘み取り作業用箱船１と海苔網酸処理作業用箱船２とをワンタッチで連結して作業船とし、現状では、もぐり船（システム船）の使用が困難で、小型の箱船を用いて海苔葉体摘採作業と酸処理（活性処理）作業とを行うことになる支柱方式での海苔養殖で、海苔葉体摘採作業と酸処理（活性処理）作業とを連続的な一連の作業として行うことができる。
【００６４】
また、作業終了後は、海苔摘み取り作業用箱船１と海苔網酸処理作業用箱船２だけでなく、摘み取った海苔葉体も、親船（作業船、運搬船）に乗せて同時に運んで戻ることができる。
【００６５】
そこで、干満の差が大きく、作業時間に制約を受ける海苔養殖場が、もぐり船（システム船）の使用が困難で、小型の箱船を用いて海苔葉体摘採作業と酸処理（活性処理）作業とを行うことになる支柱方式での海苔養殖であっても、重労働である海苔摘み作業や、酸処理（活性処理）作業に遅れを生じさせることなく、十分な作業時間を確保することができる。
【００６６】
以上、添付図面を参照してこの考案の実施形態を説明したが、この考案は上述した実施形態に限定されるものではなく、実用新案登録請求の範囲の記載から把握される技術的範囲において種々に変更可能である。
【符号の説明】
【００６７】
１  海苔摘み取り作業用箱船
２  海苔網酸処理作業用箱船
３  シャワーノズル
４  海苔摘み取り作業用箱船の船縁
４ａ  船外機取付け部
５  循環ポンプ
５ａ  ホース
５ｂ  ポンプ
５ｃ  ステンレス製網カゴ
６  酸処理（活性処理）液タンク
７  自動ＰＨ装置
８  海苔養殖作業用箱船連結具
８ａ  支持腕部
８ｂ、８ｃ  係止部
９  海苔網案内ロッド
１０  海苔摘み取り機
１０ａ  摘み取り機用エンジン
１３  海苔網酸処理作業用箱船船縁
１４  海苔網酸処理作業用箱船の船縁
１５  海苔養殖網
１６  水切りパイプ
１７  水槽
１８  ＰＨセンサー
１９  水きりローラー
２１  屋根構造の処理液収容部
２２  酸処理（活性処理）水
３１  海苔
【図１】
0003222088.tif 000003
【図２】
0003222088.tif 000004
【図３】
0003222088.tif 000005
【図４】
0003222088.tif 000006
【手続補正書】
【提出日】令和1年5月13日(2019.5.13)
【手続補正１】
【補正対象書類名】実用新案登録請求の範囲
【補正対象項目名】全文
【補正方法】変更
【補正の内容】
【実用新案登録請求の範囲】
【請求項１】
並列している海苔摘み取り作業用箱船と、海苔網酸処理作業用箱船との隣接しているそれぞれの船縁同士の間に架け渡されることで前記海苔摘み取り作業用箱船と、前記海苔網酸処理作業用箱船とを並列している状態で連結する海苔養殖作業用箱船連結具であって、
長手方向に伸びて、隣接しているそれぞれの前記船縁同士の間に架け渡される支持腕と、長手方向に伸びている前記支持腕の両端にそれぞれ配備されている係止部とからなり、
前記係止部が、それぞれ、隣接しているそれぞれの前記船縁に対して取りつけ、取り外しされる
海苔養殖作業用箱船連結具。
【請求項２】
前記支持腕の長手方向に伸びている長さを調整可能とした請求項１記載の海苔養殖作業用箱船連結具。
【請求項３】
並列している海苔摘み取り作業用箱船及び、
海苔網酸処理作業用箱船と、
前記海苔摘み取り作業用箱船と前記海苔網酸処理作業用箱船との隣接しているそれぞれの船縁同士の間に架け渡される海苔養殖作業用箱船連結具であって、長手方向に伸びて、隣接している前記船縁同士の間に架け渡される支持腕と、前記支持腕の両端にそれぞれ配備されている係止部とからなる海苔養殖作業用箱船連結具と
を備えていて、
前記海苔養殖作業用箱船連結具の前記支持腕が隣接している前記海苔摘み取り作業用箱船の前記船縁と前記海苔網酸処理作業用箱船の前記船縁との間に架け渡され、前記係止部がそれぞれ隣接している前記海苔摘み取り作業用箱船の前記船縁と前記海苔網酸処理作業用箱船の前記船縁とに取りつけられ、並列している前記海苔摘み取り作業用箱船と前記海苔網酸処理作業用箱船とが連結されてなる
海苔養殖場における海上作業船。
【請求項４】
前記海苔養殖作業用箱船連結具が、請求項２記載の海苔養殖作業用箱船連結具である請求項３記載の海苔養殖場における海上作業船。
【手続補正２】
【補正対象書類名】明細書
【補正対象項目名】００１８
【補正方法】変更
【補正の内容】
【００１８】
［１］
並列している海苔摘み取り作業用箱船と、海苔網酸処理作業用箱船との隣接しているそれぞれの船縁同士の間に架け渡されることで前記海苔摘み取り作業用箱船と、前記海苔網酸処理作業用箱船とを並列している状態で連結する海苔養殖作業用箱船連結具であって、
長手方向に伸びて、隣接しているそれぞれの前記船縁同士の間に架け渡される支持腕と、長手方向に伸びている前記支持腕の両端にそれぞれ配備されている係止部とからなり、
前記係止部が、それぞれ、隣接しているそれぞれの前記船縁に対して取りつけ、取り外しされる
海苔養殖作業用箱船連結具。
【手続補正３】
【補正対象書類名】明細書
【補正対象項目名】００１９
【補正方法】変更
【補正の内容】
【００１９】
［２］
前記支持腕の長手方向に伸びている長さを調整可能とした［１］の海苔養殖作業用箱船連結具。
【手続補正４】
【補正対象書類名】明細書
【補正対象項目名】００２０
【補正方法】変更
【補正の内容】
【００２０】
［３］
並列している海苔摘み取り作業用箱船及び、
海苔網酸処理作業用箱船と、
前記海苔摘み取り作業用箱船と前記海苔網酸処理作業用箱船との隣接しているそれぞれの船縁同士の間に架け渡される海苔養殖作業用箱船連結具であって、長手方向に伸びて、隣接している前記船縁同士の間に架け渡される支持腕と、前記支持腕の両端にそれぞれ配備されている係止部とからなる海苔養殖作業用箱船連結具と
を備えていて、
前記海苔養殖作業用箱船連結具の前記支持腕が隣接している前記海苔摘み取り作業用箱船の前記船縁と前記海苔網酸処理作業用箱船の前記船縁との間に架け渡され、前記係止部がそれぞれ隣接している前記海苔摘み取り作業用箱船の前記船縁と前記海苔網酸処理作業用箱船の前記船縁とに取りつけられ、並列している前記海苔摘み取り作業用箱船と前記海苔網酸処理作業用箱船とが連結されてなる
海苔養殖場における海上作業船。
【手続補正５】
【補正対象書類名】明細書
【補正対象項目名】００２１
【補正方法】変更
【補正の内容】
【００２１】
［４］
前記海苔養殖作業用箱船連結具が、［２］の海苔養殖作業用箱船連結具である［３］の海苔養殖場における海上作業船。